(57)【要約】    【課題】  ディレクトリクライアント側でディレクトリサーバの設定の変更操作を不要とすることができるディレクトリ情報管理システムを提供する。    【解決手段】  ディレクトリ情報管理システム１０は、インターネット上でユーザ情報やサービス情報といったディレクトリ情報を管理する。このディレクトリ情報管理システム１０は、ディレクトリ情報を管理するディレクトリサーバ１１と、このディレクトリサーバ１１に接続された複数のディレクトリクライアント１２，１３，…とを備え、ディレクトリサーバ１１は、インターネット５０に接続されている。ディレクトリクライアント１２は、取得したクエリー属性A，ＰＴＲ，…やクエリー文字列kaisha.co.jp，172.20，…の組み合わせがディレクトリサーバ定義テーブルに存在するときは、ディレクトリサーバ定義テーブルで定義されたディレクトリサーバ２１，３１を自動的に指定して問い合わせを行う。【選択図】      図４
2005107572.tif 000002
【特許請求の範囲】
【請求項１】
夫々異なるディレクトリ情報を管理する複数のディレクトリサーバと、当該複数のディレクトリサーバの各々に接続された複数のディレクトリクライアントとから成るディレクトリ情報管理システムにおいて、
前記複数のディレクトリクライアントの各々は、前記ディレクトリ情報の問い合わせ内容に応じて前記ディレクトリサーバの１つを問い合わせを行うディレクトリサーバとして指定するように構成されたことを特徴とするディレクトリ情報管理システム。
【発明の詳細な説明】
【技術分野】
【０００１】
本発明は、ディレクトリ情報管理システムに属する。
【背景技術】
【０００２】
インターネット上のユーザ情報やサービス情報といったディレクトリ情報の管理システムは、ディレクトリ情報を管理するディレクトリサーバと、このディレクトリサーバに接続された複数のディレクトリクライアントとを備える。このディレクトリ情報の管理システムは、例えば、会社内の部門毎又は業務アプリケーション毎に構築されており、あるディレクトリクライアントは、問い合わせ内容に関係なく、それに指定されたディレクトリサーバにしかアクセスすることができない（例えば、特許文献１）。
【特許文献１】特開平１０−３１２２８７号公報
【発明の開示】
【発明が解決しようとする課題】
【０００３】
従って、問い合わせ内容によってディレクトリサーバを変更する場合は、その都度クライアントサーバ側でディレクトリサーバの設定を変更する必要があった。
【０００４】
本発明の目的は、ディレクトリクライアント側でディレクトリサーバの設定の変更操作を不要とすることができるディレクトリ情報管理システムを提供することにある。
【課題を解決するための手段】
【０００５】
上記目的を達成するために、請求項１記載のディレクトリ情報管理システムは、夫々異なるディレクトリ情報を管理する複数のディレクトリサーバと、当該複数のディレクトリサーバの各々に接続された複数のディレクトリクライアントとから成るディレクトリ情報管理システムにおいて、前記複数のディレクトリクライアントの各々は、前記ディレクトリ情報の種類に応じて前記ディレクトリサーバの１つを定義し、前記適宜されあディレクトリサーバに選択肢問い合わせを行う問い合わせるように構成されたことを特徴とする。
【発明の効果】
【０００６】
以上詳細に説明したように、請求項１記載のディレクトリ情報管理システムによれば、ディレクトリクライアントの各々は、ディレクトリ情報の問い合わせ内容に応じて前記ディレクトリサーバの１つを問い合わせを行うディレクトリサーバとして指定するので、ディレクトリ情報の問い合わせ内容に応じてディレクトリサーバを自動的に指定して問い合わせを行うことができ、もってディレクトリクライアント側でディレクトリサーバの設定の変更操作を不要とすることができる。
【発明を実施するための最良の形態】
【０００７】
以下、本発明の実施の形態に係るディレクトリ情報管理システムを図面を参照しながら詳述する。
【０００８】
図１は、本発明の実施の形態に係るディレクトリ情報管理システムの概略構成を示す図である。
【０００９】
図１において、ある会社のＡ部門のディレクトリ情報管理システム１０は、インターネット上でユーザ情報やサービス情報といったディレクトリ情報を管理する。このディレクトリ情報管理システム１０は、ディレクトリ情報を管理するディレクトリサーバ１１と、このディレクトリサーバ１１に接続された複数のディレクトリクライアント１２，１３，…とを備える。ディレクトリサーバ１１は、インターネット（公衆回線）５０に接続されている。
【００１０】
また、この会社のＢ部門やＣ部門も、上記と同様のディレクトリ情報管理システム２０，３０を有する。各ディレクトリ情報管理システム２０，３０は、上記と同様のディレクトリサーバ２１，３１やディレクトリクライアント２２，３３，…を備え、ディレクトリサーバ２１，３１はインターネット５０に接続されている。
【００１１】
ディレクトリクライアント１２，２２，３２，……は、各々、ディレクトリ情報の種類に応じてディレクトリサーバ１１，２１，３１の指定を変更できるように構成されている。
【００１２】
以下の説明では、図１におけるディレクトリクライアント１２が、それ自体に指定されたディレクトリサーバ１１から他のディレクトリサーバ２１，３１に指定を変更する場合を例にとっている。
【００１３】
図２は、図１におけるディレクトリクライアントによって実行されるディレクトリサーバ定義処理を示すフローチャートである。
【００１４】
図２において、ディレクトリクライアント１２は、ディレクトリ情報の問い合わせ（クエリー）属性（例えば、特定のドメインを定義するタームとしてのA，ＰＴＲ，…（図３））をユーザの入力により取得し（ステップＳ１０１）、次いで、取得したクエリー属性で問い合わせを行う問い合わせ（クエリー）文字列（例えば、上記Aに対応した情報kaisha.co.jp，172.20，…（図３））をユーザの入力により取得する（ステップＳ１０２）。
【００１５】
さらに、ディレクトリクライアント１２は、上記取得したクエリー属性A，ＰＴＲ，…やクエリー文字列kaisha.co.jp，172.20，…について、問い合わせを行うディレクトリサーバ２１，３１，…をユーザの入力により定義し（ステップＳ１０３）、これらの情報を図３に示すディレクトリサーバ定義テーブルとして更新して（ステップＳ１０４）、本処理を終了する。
【００１６】
図２の処理によれば、ディレクトリクライアント１２は、所定のクエリー属性A，ＰＴＲ，…やクエリー文字列kaisha.co.jp，172.20，…についてディレクトリサーバ１１以外のディレクトリサーバ２１，３１，…を夫々定義することができる。
【００１７】
図４は、図１におけるディレクトリクライアントによって実行されるディレクトリサーバ指定処理を示すフローチャートである。
【００１８】
図４において、ディレクトリクライアント１２は、ディレクトリ情報の問い合わせ（クエリー）属性A，ＰＴＲ，…と問い合わせ（クエリー）文字列kaisha.co.jp，172.20，…をユーザの入力により取得し（ステップＳ２０１）、次いで、取得したクエリー属性A，ＰＴＲ，…とクエリー文字列kaisha.co.jp，172.20，…の組み合わせが図３のディレクトリサーバ定義テーブルに存在するか否かを判別する（ステップＳ２０２）。
【００１９】
ステップＳ２０２の判別の結果、取得したクエリー属性とクエリー文字列の組み合わせが図３のディレクトリサーバ定義テーブルに存在するときは、図３のテーブルで定義されたディレクトリサーバを自動的に指定して問い合わせを行い（ステップＳ２０３）、一方、存在しないときは、デフォルトのディレクトリサーバに問い合わせを行って（ステップＳ２０４）、本処理を終了する。
【００２０】
図４の処理によれば、ディレクトリクライアント１２は、取得したクエリー属性A，ＰＴＲ，…やクエリー文字列kaisha.co.jp，172.20，…の組み合わせが図３のディレクトリサーバ定義テーブルに存在するときは（ステップＳ２０２でＹＥＳ）、図３のテーブルで定義されたディレクトリサーバ２１，３１を自動的に指定して問い合わせを行うことができる。
【００２１】
本発明の実施態様を以下に列記する。
【００２２】
〔実施態様１〕  夫々異なるディレクトリ情報を管理する複数のディレクトリサーバと、当該複数のディレクトリサーバの各々に接続された複数のディレクトリクライアントとから成るディレクトリ情報管理システムにおいて、
前記複数のディレクトリクライアントの各々は、前記ディレクトリ情報の問い合わせ内容に応じて前記ディレクトリサーバの１つを問い合わせを行うディレクトリサーバとして指定するように構成されたことを特徴とするディレクトリ情報管理システム。
【００２３】
〔実施態様２〕  前記ディレクトリ情報の問い合わせ内容は、問い合わせ属性及び問い合わせ文字列を含むことを特徴とする実施態様１記載のディレクトリ情報管理システム。
【図面の簡単な説明】
【００２４】
【図１】本発明の実施の形態に係るディレクトリ情報管理システムの概略構成を示す図である。
【図２】図１におけるディレクトリクライアントによって実行されるディレクトリサーバ定義処理を示すフローチャートである。
【図３】図２のステップＳ１０４で更新されるディレクトリサーバ定義テーブルを示す図である。
【図４】図１におけるディレクトリクライアントによって実行されるディレクトリサーバ指定処理を示すフローチャートである。
【符号の説明】
【００２５】
１０，２０，３０  ディレクトリ情報管理システム
１１，２１，３１  ディレクトリサーバ
１２，１３，２２，２３，３３  ディレクトリクライアント
５０  インターネット
【図１】
2005107572.tif 000003
【図２】
2005107572.tif 000004
【図３】
2005107572.tif 000005
【図４】
2005107572.tif 000006